(57)【特許請求の範囲】
【請求項１】
投入された紙葉類を収納庫に収納し、若しくは返却口に搬送し、または収納庫に収納されている紙葉類を返却口に搬送する紙葉類処理装置において、
投入口と収納庫との間で紙葉類を搬送する紙葉類搬送路と前記紙葉類搬送路の途中から返却口へ紙葉類を搬送する返却搬送路との分岐点のコーナー部分近傍に、羽根が前記分岐点の搬送通路内に進入するように配置されて搬送方向にのみ回転する羽根車と、
前記羽根車と前記搬送通路を挟んで回動可能に配置され、前記搬送通路内に進入した場合に、前記投入口から投入された紙葉類を前記返却口へ搬送する第１の通路と、前記収納庫に収納されている紙葉類を前記返却口へ搬送する第２の通路とを形成する突出部を有する搬送路切り替えゲートと、
を備える搬送方向切り替え機構部を有し、
前記突出部は、前記搬送通路内に進入した場合に形成される前記第１の通路側および前記第２の通路側が屈曲する面で形成されていることを特徴とする紙葉類処理装置。
【請求項２】
直線状の第１の紙葉類搬送路と前記第１の紙葉類搬送路の途中に設けられた第２の紙葉類搬送路との分岐点で紙葉類の搬送方向を切り替える搬送方向切り替え機構であって、
前記分岐点のコーナー部分近傍に、羽根が前記分岐点の搬送通路内に進入するように配置された回転可能な羽根車と、
前記羽根車と前記搬送通路を挟んで回動可能に配置され、前記搬送通路内に進入した場合に、前記第１の紙葉類搬送路の一方の側から搬送されてくる紙葉類を前記第２の紙葉類搬送路へ搬送する第１の通路と、前記第１の紙葉類搬送路の他方の側から搬送されてくる紙葉類を前記第２の紙葉類搬送路へ搬送する第２の通路とを形成する突出部を有する搬送路切り替えゲートと、
を有し、
前記突出部は、前記搬送通路内に進入した場合に形成される前記第１の通路側および前記第２の通路側が屈曲する面で形成されていることを特徴とする紙葉類の搬送方向切り替え機構。
【発明の詳細な説明】
【０００１】
【発明の属する技術分野】
本発明は紙葉類処理装置に関し、特に投入された紙幣などの紙葉類を内部に収納して投入あるいは収納された紙葉類を必要に応じて排出する紙葉類処理装置に関する。
【０００２】
【従来の技術】
遊技場などに設置される両替機や券売機には、紙幣を取り扱う紙幣処理装置が搭載されている。このような紙幣処理装置では、紙幣が投入された場合に、その紙幣を金種ごとに分別して収納し、収納された紙幣を必要に応じて両替紙幣あるいは釣銭紙幣として出金するようになっている。
【０００３】
図６は従来の紙幣処理装置のひとつの例を示す側面図である。紙幣処理装置１００は、複数枚の紙幣が一括投入可能な投入口１０１と、投入紙幣を１枚ずつ分離して取り込む複数のローラからなる分離取り込み部１０２と、取り込まれた紙幣が搬送される紙幣搬送路１０３と、分離取り込み部１０２下流側の紙幣搬送路１０３の途中に設けられて紙幣の真贋・金種の判定を行う鑑別部１０４とを有している。
【０００４】
この鑑別部１０４下流側の紙幣搬送路１０３には、紙幣を返却口１０５へと導く返却搬送路１０６側へ搬送方向を切り替える返却ゲート１０７と、金種ごとに分けられた各収納庫１０８側へ搬送方向を切り替える複数の収納ゲート１０９が配置されている。また、紙幣搬送路１０３の末端には、釣銭として出金が必要となる紙幣が収納されるリサイクル収納庫１１０が配置されている。
【０００５】
このリサイクル収納庫１１０は、その底面を上昇させる底面昇降機構部１１１と、ここに収納されている収納紙幣を繰り出す分離繰り出し部１１２とを備えている。このリサイクル収納庫１１０から繰り出される紙幣は、紙幣搬送路１０３を収納時とは逆方向に搬送されるようになっている。
【０００６】
リサイクル収納庫１１０の近傍には繰り出し枚数の計数を行う図示しない出金判別部が配置され、重なり状態で繰り出されるなど、出金に適さないと判断された紙幣は、紙幣搬送路１０３に設けられたリジェクトゲート１１３によって搬送方向を切り替えられ、リジェクト庫１１４に収納されるようになっている。
【０００７】
さらに、返却ゲート１０７とリジェクトゲート１１３との間には、リサイクル収納庫１１０の収納紙幣を返却口１０５側へ振り分けるための出金ゲート１１５が配置されている。この出金ゲート１１５が配置されている紙幣搬送路１０３からは、返却搬送路１０６に連結されたバイパス搬送路１１６が設けられ、リサイクル収納庫１１０から返却口１０５へと出金される紙幣は、出金ゲート１１５でバイパス搬送路１１６側へ搬送方向が切り替えられるようになっている。
【０００８】
この紙幣処理装置１００の電源投入時には、返却ゲート１０７、収納ゲート１０９、リジェクトゲート１１３および出金ゲート１１５は、それらが配置されている各搬送路から退避した状態になっている。
【０００９】
上記構成の紙幣処理装置１００において、投入口１０１に複数枚の紙幣が一括投入されると、紙幣は分離取り込み部１０２で１枚ずつ分離されて装置内部に取り込まれる。取り込まれた紙幣は、紙幣搬送路１０３を搬送されて鑑別部１０４で真贋・金種判定される。以降、この鑑別部１０４での判定結果に基づいて、収納、返却、出金における各紙幣の搬送が行われる。
【００１０】
まず、紙幣の収納動作について説明する。図７は従来の紙幣処理装置における収納時の搬送方向切り替え状態を示す図である。図６に示した鑑別部１０４で真と判定された紙幣２００ａは、紙幣搬送路１０３を返却ゲート１０７の方へとさらに搬送される。このとき、返却ゲート１０７および出金ゲート１１５は紙幣搬送路１０３から退避しており、紙幣２００ａは紙幣搬送路１０３を図中下方へと搬送され、図６に示した収納庫１０８またはリサイクル収納庫１１０に収納される。
【００１１】
次に、紙幣の返却動作について説明する。図８は従来の紙幣処理装置における返却時の搬送方向切り替え状態を示す図である。図６に示した鑑別部１０４で偽と判定された紙幣２００ｂは、紙幣搬送路１０３を返却ゲート１０７の方へとさらに搬送される。このとき、紙幣処理装置１００は、図示しないアクチュエータによって、返却ゲート１０７を搬送通路内に進入させて通路を塞ぐ。返却ゲート１０７に到達した紙幣２００ｂは、ここで搬送方向を切り替えられ、返却搬送路１０６によって図６に示した返却口１０５へと搬送され、利用者側に返却される。
【００１２】
次に、紙幣の出金動作について説明する。図９は従来の紙幣処理装置における出金時の搬送方向切り替え状態を示す図、図１０は従来の紙幣処理装置における出金時の搬送状態を示す図である。
【００１３】
図６に示した鑑別部１０４での金種判定結果により、リサイクル収納庫１１０の収納紙幣を釣銭として出金する必要がある場合には、まず、投入紙幣が前述した動作によって該当する金種の収納庫１０８に収納される。そして、リサイクル収納庫１１０から出金判別部を介して、図９に示すように、必要枚数の紙幣２００ｃが１枚ずつ紙幣搬送路１０３を出金ゲート１１５の方へと搬送される。
【００１４】
このとき、紙幣処理装置１００は、図示しないアクチュエータによって出金ゲート１１５を搬送通路内に進入させて通路を塞ぐ。出金ゲート１１５に到達した紙幣２００ｃは、ここで搬送方向をバイパス搬送路１１６に切り替えられる。そして、紙幣２００ｃは、図１０に示すように、このバイパス搬送路１１６が合流する返却搬送路１０６から図６に示した返却口１０５へと搬送され、利用者側に出金される。
【００１５】
【発明が解決しようとする課題】
しかしながら、従来の紙幣処理装置では、紙幣の搬送通路に進退する各ゲートを投入紙幣の鑑別結果に基づいて駆動して搬送方向の切り替えを行う際、１つのゲートで２方向にしか切り替えができないため、投入紙幣を収納する場合、返却口から返却する場合および収納紙幣を返却口から出金する場合といった３方向への切り替えを可能にするためには、２つのゲートと３つの搬送通路が必要であり、部品点数が多くなるとともに、装置の小型化が阻害されるという問題点があった。
【００１６】
本発明はこのような点に鑑みてなされたものであり、少ない部品点数で紙葉類の搬送方向を切り替えることのできる小型の紙葉類処理装置を提供することを目的とする。
【００１７】
【課題を解決するための手段】
本発明では上記問題を解決するために、投入された紙葉類を収納庫に収納し、若しくは返却口に搬送し、または収納庫に収納されている紙葉類を返却口に搬送する紙葉類処理装置において、投入口と収納庫との間で紙葉類を搬送する紙葉類搬送路と前記紙葉類搬送路の途中から返却口へ紙葉類を搬送する返却搬送路との分岐点のコーナー部分近傍に、羽根が前記分岐点の搬送通路内に進入するように配置されて搬送方向にのみ回転する羽根車と、前記羽根車と前記搬送通路を挟んで回動可能に配置され、前記搬送通路内に進入した場合に、前記投入口から投入された紙葉類を前記返却口へ搬送する第１の通路と、前記収納庫に収納されている紙葉類を前記返却口へ搬送する第２の通路とを形成する突出部を有する搬送路切り替えゲートと、を備える搬送方向切り替え機構部を有し、前記突出部は、前記搬送通路内に進入した場合に形成される前記第１の通路側および前記第２の通路側が屈曲する面で形成されていることを特徴とする紙葉類処理装置が提供される。
【００１８】
このような紙葉類処理装置によれば、紙葉類搬送路と返却搬送路との分岐点のコーナー部分近傍に配置された羽根車が、その羽根を分岐点の搬送通路内に進入させて回転し、搬送路切り替えゲートが、突出部を搬送通路内に進入させて、突出部の両側に、紙葉類を搬送する第１の通路および第２の通路を形成する。これにより、突出部が搬送通路内に進入している場合には、紙葉類搬送路を分岐点へと搬送されてきた紙葉類が、突出部でその搬送方向を切り替えられ、返却搬送路へと搬送されるようになる。また、突出部が搬送通路内から退避している場合には、紙葉類は回転している羽根車の羽根に付勢され、返却搬送路への搬送が防止される。したがって、搬送方向の切り替えのために、バイパス搬送路を設ける必要がなく、さらに、搬送方向を切り替えるゲートを複数設ける必要がなくなる。
【００１９】
【発明の実施の形態】
以下、本発明の実施の形態を、紙幣処理装置に適用した場合を例に図面を参照して詳細に説明する。
【００２０】
図２は紙幣処理装置の側面図である。紙幣処理装置１は、複数枚の紙幣が一括投入可能な投入口２と、投入された紙幣を１枚ずつ分離して装置内部に取り込む複数のローラからなる分離取り込み部３と、取り込まれた紙幣が搬送される紙幣搬送路４と、分離取り込み部３の搬送方向下流側の紙幣搬送路４の途中に設けられて紙幣の真贋・金種の判定を行う鑑別部５とを有している。
【００２１】
鑑別部５の搬送方向下流側の紙幣搬送路４には、紙幣を返却口６へと搬送する返却搬送路７が設けられ、ここで搬送通路が分岐されている。紙幣搬送路４のさらに搬送方向下流には、通路内に進退することによって搬送紙幣を金種ごとに各収納庫８へと導く収納ゲート９が配置されている。さらに、紙幣搬送路４の末端には、釣銭として出金が必要となる紙幣が収納されるリサイクル収納庫１０が配置されている。
【００２２】
このリサイクル収納庫１０は、その底面を上昇させる底面昇降機構部１１と、ここに収納されている収納紙幣を繰り出す分離繰り出し部１２とを備えている。リサイクル収納庫１０に収納されている収納紙幣は、底面昇降機構部１１で上昇され、分離繰り出し部１２の回転するローラに接触させられることにより、最上層から順次繰り出されていくようになっている。このリサイクル収納庫１０から繰り出される収納紙幣は、紙幣搬送路４をリサイクル収納庫１０への収納時とは逆方向に搬送されるようになっている。
【００２３】
また、リサイクル収納庫１０の近傍には収納紙幣の繰り出し枚数の計数を行う図示しない出金判別部が配置され、重なり状態で繰り出されるなど、出金に適さないと判別された収納紙幣は、紙幣搬送路４に設けられたリジェクトゲート１３によって搬送方向を切り替えられリジェクト庫１４に搬送されるようになっている。
【００２４】
そして、この紙幣処理装置１は、紙幣搬送路４と返却搬送路７との分岐点１５において、紙幣搬送路４を鑑別部５側から搬送されてくる紙幣を返却搬送路７またはそのまま紙幣搬送路４を搬送されるように振り分ける、あるいは紙幣搬送路４をリサイクル収納庫１０側から搬送されてくる紙幣を返却搬送路７へ振り分けるよう搬送方向を切り替えるための搬送方向切り替え機構部２０を有している。
【００２５】
図１は紙幣処理装置の搬送方向切り替え機構部の側面図である。搬送方向切り替え機構部２０は、紙幣搬送路４と返却搬送路７との分岐点１５に配置されている。この分岐点１５では、ガイド４ａおよびこのガイド４ａに対向配置されたガイド４ｂ，４ｃから構成される紙幣搬送路４の途中に、対向配置されたガイド７ａ，７ｂから構成される返却搬送路７が、紙幣搬送路４のガイド４ｂ，４ｃと返却搬送路７のガイド７ａ，７ｂとがそれぞれ一体に形成されることにより連結配置されている。
【００２６】
紙幣搬送路４と返却搬送路７とが連結されているコーナー部分近傍であってガイド４ｂ，７ａの搬送通路外側には、図中時計回り方向にのみ回転可能な羽根車２１が配置されている。この羽根車２１は、それが有する羽根２１ａが紙幣搬送路４および返却搬送路７に進入するように配置されている。このコーナー部分に配置された羽根車２１の近傍には、羽根車２１と同様ガイド４ｂ，７ａの搬送通路外側に、紙幣搬送用の紙幣搬送ローラ２２が配置されている。ここでは、羽根車２１は、この紙幣搬送ローラ２２に同期して回転するようになっている。
【００２７】
さらに、この紙幣搬送ローラ２２と紙幣搬送路４を挟んだガイド４ａの搬送通路外側、および返却搬送路７を挟んだガイド７ｂの搬送通路外側には、入金紙幣搬送ローラ２３、出金紙幣搬送ローラ２４が、紙幣搬送ローラ２２にそれぞれ対向して配置されている。紙幣搬送ローラ２２の外周面と入金紙幣搬送ローラ２３の外周面、紙幣搬送ローラ２２の外周面と出金紙幣搬送ローラ２４の外周面は、それぞれ紙幣搬送路４、返却搬送路７の搬送通路内で接触するようになっている。
【００２８】
さらに、羽根車２１の返却搬送路７側下流には、外周面が搬送通路内で接触する一対の搬送ローラ２５，２６が配置されている。
また、紙幣搬送路４のガイド４ａの搬送通路外側には、図示しないアクチュエータにより、軸２７を中心として回動可能に配置された搬送路切り替えゲート２８が配置されている。この搬送路切り替えゲート２８は、屈曲部２８ａ，２８ｂが形成された突出部２８ｃを有しており、紙幣処理装置１の電源投入時には、突出部２８ｃは搬送通路から退避した状態になっている。そして、搬送路切り替えゲート２８が回動して、その突出部２８ｃが、図中点線で示すように、搬送通路内に進入した場合には、鑑別部５側からの搬送紙幣のための紙幣搬送路４、屈曲部２８ａおよび返却搬送路７からなる通路と、リサイクル収納庫１０側からの搬送紙幣のための紙幣搬送路４、屈曲部２８ｂおよび返却搬送路７からなる通路とを形成する。
【００２９】
図１および図２に示した構成の紙幣処理装置１において、投入口２に複数枚の紙幣が一括投入されると、分離取り込み部３が駆動して紙幣を１枚ずつ分離して装置内部に取り込む。取り込まれた紙幣は、紙幣搬送路４を搬送されて鑑別部５で真贋・金種判定される。この鑑別部５での判定結果に基づいて、搬送方向切り替え機構部２０による各紙幣の搬送方向の振り分けが行われる。
【００３０】
以下では、投入された紙幣の収納庫８またはリサイクル収納庫１０への収納動作、投入された紙幣の返却口６への返却動作、およびリサイクル収納庫１０の収納紙幣を返却口６から出金する出金動作についてそれぞれ説明する。
【００３１】
まず、投入された紙幣の収納庫またはリサイクル収納庫への収納動作について説明する。
図３は紙幣処理装置における収納動作の説明図である。図２に示した鑑別部５で真と判定された紙幣３０ａは、紙幣搬送路４を搬送方向切り替え機構部２０へと搬送され、回転する紙幣搬送ローラ２２と入金紙幣搬送ローラ２３とに挟持されながら分岐点１５の方向に搬送される。このとき、搬送路切り替えゲート２８の突出部２８ｃは、搬送通路から退避されており、また、羽根車２１は図中時計回り方向に回転している。
【００３２】
紙幣３０ａは、紙幣搬送ローラ２２および入金紙幣搬送ローラ２３によって搬送される際、回転する羽根車２１の羽根２１ａにより紙幣搬送路４のガイド４ａ側に付勢された状態で図中下方へと搬送され、図２に示した収納庫８またはリサイクル収納庫１０へと送られる。
【００３３】
このように、紙幣３０ａは、搬送路切り替えゲート２８の突出部２８ｃに当たることなく、羽根車２１で紙幣搬送路４のガイド４ａ側に付勢されながら搬送されるので、紙幣３０ａが返却搬送路７へ進入していくことがない。また、搬送される紙幣３０ａが折れ曲がっているような場合、特にその先端が返却搬送路７側へ折れ曲がっているような場合であっても、羽根車２１が、紙幣３０ａの返却搬送路７への進入を阻止するので、確実に図中下方へと搬送することができる。
【００３４】
次に、投入された紙幣の返却口への返却動作について説明する。
図４は紙幣処理装置における返却動作の説明図である。図２に示した鑑別部５で偽と判定された紙幣３０ｂは、紙幣搬送路４を搬送され、回転する紙幣搬送ローラ２２と入金紙幣搬送ローラ２３とに挟持されながら分岐点１５の方向に搬送される。このとき、搬送路切り替えゲート２８は、図示しないアクチュエータによってその突出部２８ｃを搬送通路内に進入させており、これにより、紙幣搬送路４、屈曲部２８ａおよび返却搬送路７からなる通路が形成される。また、このとき、羽根車２１は図中時計回り方向に回転している。
【００３５】
紙幣３０ｂは、紙幣搬送ローラ２２および入金紙幣搬送ローラ２３によって搬送される際、その先端が屈曲部２８ａに当接した後、この屈曲部２８ａに沿って曲げられ、回転する羽根車２１の羽根２１ａにより返却搬送路７へと搬送方向が切り替えられる。次いで、紙幣３０ｂは、回転する紙幣搬送ローラ２２および出金紙幣搬送ローラ２４によって挟持されながら返却搬送路７を搬送され、さらに搬送ローラ２５，２６を経て、図２に示した返却口６へと搬送され、利用者側に返却される。
【００３６】
このように、紙幣３０ｂは、羽根車２１で屈曲部２８ａ側に付勢されながら搬送されるので、紙幣搬送路４をそのまま図中下方へ搬送されることがなく、紙幣３０ｂは確実に返却搬送路７へと搬送される。
【００３７】
次に、リサイクル収納庫の収納紙幣を返却口から出金する出金動作について説明する。
図５は紙幣処理装置における返却動作の説明図である。図２に示した鑑別部５での金種判定結果により、リサイクル収納庫１０の収納紙幣を釣銭として出金する必要がある場合には、まず、投入紙幣が前述した動作によって収納庫８に収納された後、リサイクル収納庫１０から出金判別部を介して必要枚数の紙幣３０ｃが１枚ずつ紙幣搬送路４を搬送方向切り替え機構部２０へと搬送される。
【００３８】
このとき、搬送路切り替えゲート２８は、図５に示したように、その突出部２８ｃを搬送通路内に進入させており、これにより、紙幣搬送路４、屈曲部２８ｂおよび返却搬送路７からなる通路が形成される。また、このとき、羽根車２１は図中時計回り方向に回転している。
【００３９】
紙幣３０ｃは、紙幣搬送路４を図中下方から搬送される際、その先端が屈曲部２８ｂに当接した後、この屈曲部２８ｂに沿って曲げられ、さらにその先端が回転する羽根車２１の羽根２１ａによって図中上方への搬送が制限され、返却搬送路７へと搬送方向が切り替えられる。次いで、紙幣３０ｃは、回転する紙幣搬送ローラ２２および出金紙幣搬送ローラ２４によって挟持されながら返却搬送路７を搬送され、さらに搬送ローラ２５，２６を経て、図２に示した返却口６へと搬送される。
【００４０】
このように、紙幣３０ｃは、羽根車２１で屈曲部２８ｂ側に付勢されながら搬送されるので、紙幣搬送路４をそのまま図中上方へ搬送されることがなく、紙幣３０ｃは確実に返却搬送路７へと搬送される。
【００４１】
以上のように、本実施の形態の搬送方向切り替え機構部２０を有する紙幣処理装置１によれば、紙幣搬送用のローラのほか、２つの屈曲面２８ａ，２８ｂを備える１つの搬送路切り替えゲート２８と１つの羽根車２１とを紙幣搬送路４と返却搬送路７との分岐点１５に配置することにより、収納、返却および出金における紙幣搬送方向の切り替えが可能となるため、部品点数の削減と装置の小型化を図ることができるようになる。
【００４２】
【発明の効果】
以上説明したように、本発明では、紙葉類搬送路と返却搬送路との分岐点のコーナー部分近傍に、羽根を分岐点の搬送通路内に進入させて回転する羽根車を配置するとともに、突出部を搬送通路内に進入させることにより紙葉類を搬送する第１の通路および第２の通路を形成する搬送路切り替えゲートを、羽根車と搬送通路を挟んで配置する。これにより、投入紙幣を収納する場合、投入紙幣を返却口へ搬送する場合および収納紙幣を返却口へ搬送する場合といった３方向への切り替えのために、バイパス搬送路などを設ける必要がなく、さらに、搬送方向を切り替えるゲートを複数設ける必要がなくなるので、紙葉類処理装置の部品点数を削減できるとともに、装置自体の小型化を図ることができる。
【図面の簡単な説明】
【図１】紙幣処理装置の搬送方向切り替え機構部の側面図である。
【図２】紙幣処理装置の側面図である。
【図３】紙幣処理装置における収納動作の説明図である。
【図４】紙幣処理装置における返却動作の説明図である。
【図５】紙幣処理装置における返却動作の説明図である。
【図６】従来の紙幣処理装置のひとつの例を示す側面図である。
【図７】従来の紙幣処理装置における収納時の搬送方向切り替え状態を示す図である。
【図８】従来の紙幣処理装置における返却時の搬送方向切り替え状態を示す図である。
【図９】従来の紙幣処理装置における出金時の搬送方向切り替え状態を示す図である。
【図１０】従来の紙幣処理装置における出金時の搬送状態を示す図である。
【符号の説明】
４  紙幣搬送路
４ａ，４ｂ，４ｃ  ガイド
７  返却搬送路
７ａ，７ｂ  ガイド
１５  分岐点
２０  搬送方向切り替え機構部
２１  羽根車
２１ａ  羽根
２２  紙幣搬送ローラ
２３  入金紙幣搬送ローラ
２４  出金紙幣搬送ローラ
２５，２６  搬送ローラ
２７  軸
２８  搬送路切り替えゲート
２８ａ，２８ｂ  屈曲部
２８ｃ  突出部
【図１】
0003726736.tif 000002
【図２】
0003726736.tif 000003
【図３】
0003726736.tif 000004
【図４】
0003726736.tif 000005
【図５】
0003726736.tif 000006
【図６】
0003726736.tif 000007
【図７】
0003726736.tif 000008
【図８】
0003726736.tif 000009
【図９】
0003726736.tif 000010
【図１０】
0003726736.tif 000011